(57)【要約】【課題】自動墨すり機によってあらかじめセットされた固形墨の下部がすり減るとローラーのような摺動体が働いて、それ以上の墨すりが行われないようにすること、及び墨すり動作が完了し、又は墨すり状態を一時的に中断した状態でガイドレール及び固形墨保持具を設けたアームを上動状態を維持するようにした自動墨すり機を提供する。【解決手段】【請求項１】下部に配置された硯と、回転体に連結され前後に往復移動するアームの先端部に設けられた固形墨保持具とからなり、該固形墨保持具に把持された固形墨の下面が硯の表面に押圧摺動する墨すり機において、前記アームに平行して設けられ、前記硯の上辺に設けられたガイドレールと、前記固形墨保持具の一側に設けられ前記ガイドレールの上面に固形墨保持具と連動し往復移動する一定長さの摺動体が前記ガイドレールを前記アームと共に上動した位置をそのままに保持させる保持装置とからなる。【選択図】　　　図１
2004090604.tif 000002
【特許請求の範囲】
【請求項１】
下部に配置された硯と、回転体に連結され前後に往復移動するアームの先端部に設けられた固形墨保持具とからなり、該固形墨保持具に把持された固形墨の下面が硯の表面に押圧摺動する墨すり機において、
前記アームに平行して設けられ、前記硯の上辺に設けられたガイドレールと、前記固形墨保持具の一側に設けられ前記ガイドレールの上面に固形墨保持具と連動し往復移動する一定長さの摺動体が前記ガイドレールを前記アームと共に上動した位置をそのままに保持させる保持装置とからなることを特徴とする自動墨すり機。
【請求項２】
摺動体は、回転ロールである請求項１記載の自動墨すり機。
【請求項３】
保持装置は、ガイドレールの後方部に設けられた止め孔と機枠板に形成された１又は複数の止め孔との間に止めピンを挿通するようにしてなる請求項１記載の自動墨すり機。
【発明の詳細な説明】
【０００１】
【産業上の利用分野】
この発明は、自動墨すり機に関し、更に詳しくはセットされた固形墨の下部が限界にまで、すり減った状態では、それ以上すりおりおろせないようにして、硯を損傷しないようにすると共に、墨液を使用する場合には固形墨保持具を持ち上げた状態のままで保持しておくようにした自動墨すり機に関する。
【０００２】
【従来の技術】
従来の自動墨すり機は、基本的には、下部に配置された硯と、回転体に連結され前後に往復移動するアームの先端部に設けられた固形墨保持具とからなり、該固形墨保持具に把持された固形墨の下面が硯の表面に押圧摺動するもので、例えば、特開平５−８５９５号「自動墨摺機」、特開平１０−２９７１８０号「墨すり機」、特開平１１−３０１１７９号「自動墨すり機」及び特開２０００−３０１１７９号「墨摺機」等があるが、、その基本的な構造はほぼ前記の通りである。
【０００３】
【発明が解決しようとする課題】
上記のような構成にした場合、次のような問題点が発生する傾向がある。
即ち、まず第一に、タイマーを設けて自動墨すり機を停止させると墨が硯に接触したまま一定時間放置された結果、硯に墨が凝着し、そのため墨を硯から剥がす際に硯表面を損傷させること。
第二に、タイマーを設けないで、自動墨すり機を継続的に稼働させると、固形墨がなくなった状態でも墨すり動作を継続することから、固形墨保持具が硯表面を損傷させる危険性がある。
墨すり動作中に、墨すり動作を一時的に持続的に中断する必要な場合がある。
【０００４】
そこで、この発明の目的は、予めセットされた固形墨の下部が限界にまで、すり減った状態では、それ以上すりおりおろせないようにすること、又は持続的に固形墨と硯表面が凝着しないようにすること、更には墨液を使用する場合には固形墨保持具を持ち上げた状態のままで保持しておくようにした自動墨すり機を提供することである。
【０００５】
【課題を解決するための手段】
上記の目的を達成するために、下部に配置された硯と、回転体に連結され前後に往復移動するアームの先端部に設けられた固形墨保持具とからなり、該固形墨保持具に把持された固形墨の下面が硯の表面に押圧摺動する墨すり機において、前記アームに平行して設けられ、前記硯の上辺に設けられたガイドレールと、前記固形墨保持具の一側に設けられ前記ガイドレールの上面に固形墨保持具と連動し往復移動する一定長さの摺動体と、前記ガイドレールを前記アームと共に上動した位置をそのままに保持させる保持装置とから構成したものである。
【０００６】
また、摺動体は、回転ロールとすることによって往復移動するアームの先端部に設けられた固形墨保持具の往復摺動も円滑におこなうことができる。
更に、保持装置は、ガイドレールの後方部に設けられた止め孔と機枠板に形成された１又は複数の止め孔との間に止めピンを挿通するようにしてある。
【０００７】
【発明の実施の形態】
この発明の実施の形態を図面を参照して以下説明する。
本発明の自動墨すり機本体３０は、墨すり摺動部１と、ガイド部２とから構成されている。
【０００８】
墨すり摺動部１は、本体駆動部カバー３の内部に内蔵されたモーター４によって駆動される回転軸５と、この回転軸５に軸着されたクランクアーム６と、このクランクアーム６の端部にピン７で連結されたアーム８と、このアーム８の前端部であって、一側セットされた硯９側方向に固形墨挟着部１０及び荷重用ウエイト１１とからなる固形墨保持部１２とから構成されている。
【０００９】
ガイド部２は、前記固形墨保持部１２の枠板１３の外側に設けられた円滑に摺動可能なローラーのような摺動体１４と、前記アーム８と対抗する側であって後方部で軸支部１７にて支持され上方向には自在に起伏可能とされたガイドレール１５とからなっており、前記アーム８とガイドレール１５とは硯９の側部を挟む位置に延出させてある。そして、前記摺動体１４の下端はガイドレール１５の上面１６を摺動するようにしてある。
【００１０】
更に、前述したようにこのガイドレール１５は起伏可能としてあり、且つ通常このガイドレール１５を持ち上げる状態では、ガイドレール１５の上面には、その摺動可能なローラーのような摺動体１４の下端が接触状態となっており、従ってこのガイドレール１５を持ち上げると同時に前端部に設けられた固形墨保持部１２と共にアーム８も持ち上がるようになっている。
【００１１】
ガイドレールの保持装置は、ガイドレール１５の後方部の固定板２３に設けられた止め孔１８が形成してあり、この止め孔１８と本体駆動部カバー３に形成されたピン孔１９とが一致する位置、又はガイドレール１５の下辺にピン２１を挿通することによって形成される。ガイドレール１５及び前端部に固形墨挟着部１０及び１又は複数の荷重用ウエイト１１とからなる固形墨保持部１２を設けたアーム８の全体が持ち上げられたまま保持される。
なお、この１又は複数の荷重用ウエイト１１は墨すり時に固形墨２０と硯の上面との摩擦程度を大きくすることで、短時間で墨すりを行うことができる。
【００１２】
固形墨２０は、アーム８の前端部の固形墨保持部１２に挟着され、その下部から延出する固形墨２０下部が充分長い場合、アーム８の往復運動の墨すり状態の間も摺動体１４とガイドレール１５とは離間しており、両者は実質的には機能しない。
【００１３】
固形墨２０を、アーム８の前端部の固形墨保持部１２に挟着させ、その下部から出した状態で、モーター（図示を省略）を駆動させると、クランクアーム６の動きに連動してアーム８前後方向に、且つ上下方向に揺動する三次元的な往復運動をする。
クランクアーム６が上死点に達したときアーム８は傾斜状態となる。更にクランクアーム６が下死点に達したときアーム８は前記の傾斜状態と逆方向に傾斜し、従って、固形墨の下端は曲状となる。
この発明の自動墨すり機３０ではアーム８の往復運動の形態上、硯９の上面はなだらかに前方下方向に傾斜する構造とした、池部を設けない硯に使用する。
【００１４】
又、アーム８のストロークは、クランクアーム６の回転によって規制されることになるから、クランクアーム６の長さの約２倍程度に相当し、硯の上面もほぼこのストロークに従った長さとしてある。
【００１５】
固形墨２０は、アーム８の前端部の固形墨保持部１２にセットして、アーム８を前後に往復運動をさせると、固形墨２０は下部より漸次に摺りおろされる。
固形墨下部がすり減り、摺動部の下端がガイドレール１５の上面に接触したとき、固形墨２０下部と固形墨保持部１２から摺動部下端までの間隙が等しくなると、墨すりがほとんど空すり状態となる。この状態を数分間継続すると、固形墨１９の下端と硯の上面とが極めてわずかではあるが離間するので、この時点でアーム８を往復運動を停止して放置したとしても、固形墨２０の下端と硯の上面とが凝着することがないので、固形墨２０の離脱によって硯の上面の損傷はない。
【００１５】
墨すりが完了し、又は必要があって墨すり動作を中断しなければならない時には、ガイドレール１５とアーム８とが、前述したような構造となっいるので、墨すりを停止した時点で、ガイドレール１５を持ち上げ、止め孔１８と本体駆動部カバー３に形成されたピン孔１９とが一致する位置でピン２１を挿通するとガイドレール１５の下辺をピン２１によって保持され、固形墨の下端は硯の上面から完全に持ち上がった状態を維持する。
【００１５】
なお、硯９の置台２２を横方向に揺動させるよにすれば、墨摺り時に硯の上面を広く使用でき、しかも部分的な磨耗を避けることができて便利である。
【発明の効果】
請求項１の自動墨すり機では、下部に配置された硯と、回転体に連結され前後に往復移動するアームの先端部に設けられた固形墨保持具とからなり、該固形墨保持具に把持された固形墨の下面が硯の表面に押圧摺動する墨すり機において、前記アームに平行して設けられ、前記硯の上辺に設けられたガイドレールと、前記固形墨保持具の一側に設けられ前記ガイドレールの上面に固形墨保持具と連動し往復移動する一定長さの摺動体が前記ガイドレールを前記アームと共に上動した位置をそのままに保持させる保持装置とからなるので、墨すり完了又は墨すりの途中を問わず、固形墨を固形墨保持具に装着した状態で、固形墨の下端と硯の上面とを完全に離間させることができるから、墨すり完了又は墨すり途中であってもガイドレールを持ち上げることによって自動的に固形墨の下端は硯上面より持ち上がり、固形墨の下端と硯の上面とが凝結することはない。
例え、アームの墨すり運動が継続的に行われた場合であっても、固形墨の墨すり部分がなくなった場合でも、摺動体とガイドレールとによって固形墨保持具が硯の上面に直接当たるのを阻止するから、高価な硯上面を損傷しない効果がある。請求項２の自動墨すり機では、摺動体は、回転ロールとしてあるので、固形墨の墨すり部分がなくなった状態でもアームは円滑にすずり上面を往復運動し得る。その場合でも、固形墨保持具の下部によって硯の上面を傷つけることがない。
請求項３の自動墨すり機では、保持装置は、ガイドレールの後方部に設けられた止め孔と機枠板に形成された１又は複数の止め孔との間に止めピンを挿通するようにしてあるので、ガイドレールとアームとをセットで上動した状態で固定できる。
従って、固形墨の取り替え作業も簡単に行うことができる。
【図面の簡単な説明】
【図１】一部を切り欠いて示した要部を示す斜視図
【図２】この発明の自動墨すり機の要部を示す使用状態断面図
【図３】この発明自動墨すり機の使用状態を示す斜視図
【図４】この発明の自動墨すり機の平面図
【図５】ガイドレールを通常位置から上方に持ち上げた状態を示す側面図
【図６】ガイドレールを持ち上げた状態をピンで保持した状態をしめす一部断面図
【符号の説明】
１．．．墨すり摺動部
２．．．ガイド部
３．．．本体駆動部カバー
４．．．モーター
５．．．回転軸
６．．．クランクアーム
７．．．ピン
８．．．アーム
９．．．硯
１０．．固形墨挟着部
１１．．荷重用ウエイト
１２．．固形墨保持部
１３．．枠板
１４．．摺動体
１５．．ガイドレール
１６．．上面
１７．．軸支部
１８．．止め孔
１９．．ピン孔
２０．．固形墨
２１．．ピン
２２．．置台
２３．．固定板２３
３０．．自動墨すり機本体
【図１】
2004090604.tif 000003
【図２】
2004090604.tif 000004
【図３】
2004090604.tif 000005
【図４】
2004090604.tif 000006
【図５】
2004090604.tif 000007
【図６】
2004090604.tif 000008